(57)【要約】【課題】より良好なユーザインタフェースを提供する。【解決手段】画像再生部は、複数の異なる再生速度で動画像を再生可能である。また、軌跡画像生成部は、動画像の撮像時における撮像位置に応じた開始地点から終了地点までの軌跡を表すルート画像、および、動画像の撮像時刻に従って移動するようにルート画像に重ねて表示される撮像地点表示を含む軌跡画像を生成する。そして、編集情報取得部は、軌跡画像を利用して、動画像の再生速度を編集する編集情報を取得する。本技術は、例えば、位置情報および速度情報が付加された動画像を編集可能な編集装置に適用できる。【選択図】図１
2015128206.tif 000002
【特許請求の範囲】
【請求項１】
動画像を再生する画像再生部と、
前記動画像の撮像時における撮像位置に応じた開始地点から終了地点までの軌跡を表すルート画像を少なくとも含む軌跡画像を生成する軌跡画像生成部と、
前記軌跡画像を利用して、前記動画像の再生速度を編集する編集情報を取得する編集情報取得部と
を備える編集装置。
【請求項２】
前記軌跡画像は、前記動画像の撮像時刻に従って移動するような撮像地点表示をさらに含み、
前記軌跡画像生成部は、前記撮像地点表示が前記ルート画像に重ねて表示される前記軌跡画像を生成する
請求項１に記載の編集装置。
【請求項３】
前記動画像の撮像時における移動速度を示す速度情報に従って、撮像時刻に対応する速度を示すスピードメータ画像を生成し、前記画像再生部により再生される動画像に重ねて表示させるスピードメータ画像生成部
をさらに備える請求項１に記載の編集装置。
【請求項４】
前記軌跡画像生成部は、前記動画像の再生速度の編集に従って、通常の再生速度とは異なる再生速度で再生される変速再生区間が設定されたとき、前記ルート画像に前記変速再生区間を表示する
請求項１に記載の編集装置。
【請求項５】
前記軌跡画像生成部は、前記変速再生区間の開始位置および終了位置に、それぞれの位置を示すフラグが表示される前記軌跡画像を生成する
をさらに備える請求項４に記載の編集装置。
【請求項６】
前記変速再生区間の開始位置および終了位置に表示される前記フラグは、前記軌跡画像に表示される他のフラグと異なる色で表示される
請求項５に記載の編集装置。
【請求項７】
前記変速再生区間における再生速度に従って、前記変速再生区間を表示する色が設定されている
請求項４に記載の編集装置。
【請求項８】
前記編集情報取得部は、前記変速再生区間に対する操作に従って、前記変速再生区間を移動させる編集情報を取得する
請求項４に記載の編集装置。
【請求項９】
前記編集情報取得部は、前記変速再生区間の開始位置および終了位置に表示される前記フラグに対する操作に従って、前記変速再生区間を拡大または縮小させる編集情報を取得する
請求項５に記載の編集装置。
【請求項１０】
前記編集情報取得部は、前記動画像の再生時間の全体を表すタイムラインと、前記タイムライン上における再生位置を表すスライダとにより構成されるシークバーに対する操作に従って、前記動画像の再生速度を編集する編集情報を取得する
請求項１に記載の編集装置。
【請求項１１】
前記画像再生部は、通常のフレームレートで撮像された部分と、通常のフレームレートよりも高いフレームレートで撮像された部分とが混在した動画像を再生対象とする
請求項１に記載の編集装置。
【請求項１２】
動画像を再生する画像再生部と、
前記動画像の撮像時における撮像位置に応じた開始地点から終了地点までの軌跡を表すルート画像、および、前記動画像の撮像時刻に従って移動するように前記ルート画像に重ねて表示される撮像地点表示を含む軌跡画像を生成する軌跡画像生成部と
を備え、
前記軌跡画像生成部は、前記画像再生部により前記ルート画像上に表示された変速再生区間に対応する動画像が再生される際には、変更された動画像の再生速度に合わせて撮像地点表示の移動速度を変更して生成する
再生装置。
【請求項１３】
動画像を再生し、
前記動画像の撮像時における撮像位置に応じた開始地点から終了地点までの軌跡を表すルート画像を少なくとも含む軌跡画像を生成し、
前記軌跡画像を利用して、前記動画像の再生速度を編集する編集情報を取得する
ステップを含む編集方法。
【請求項１４】
動画像を再生し、
前記動画像の撮像時における撮像位置に応じた開始地点から終了地点までの軌跡を表すルート画像、および、前記動画像の撮像時刻に従って移動するように前記ルート画像に重ねて表示される撮像地点表示を含む軌跡画像を生成する
ステップを含み、
前記ルート画像上に表示された変速再生区間に対応する動画像が再生される際には、変更された動画像の再生速度に合わせて撮像地点表示の移動速度を変更して生成する
再生方法。
【請求項１５】
動画像を再生し、
前記動画像の撮像時における撮像位置に応じた開始地点から終了地点までの軌跡を表すルート画像を少なくとも含む軌跡画像を生成し、
前記軌跡画像を利用して、前記動画像の再生速度を編集する編集情報を取得する
ステップを含む編集処理をコンピュータに実行させるプログラム。
【請求項１６】
動画像を再生し、
前記動画像の撮像時における撮像位置に応じた開始地点から終了地点までの軌跡を表すルート画像、および、前記動画像の撮像時刻に従って移動するように前記ルート画像に重ねて表示される撮像地点表示を含む軌跡画像を生成する
ステップを含み、
前記ルート画像上に表示された変速再生区間に対応する動画像が再生される際には、変更された動画像の再生速度に合わせて撮像地点表示の移動速度を変更して生成する
再生処理をコンピュータに実行させるプログラム。
【発明の詳細な説明】
【技術分野】
【０００１】
本開示は、編集装置、再生装置、編集方法、再生方法、およびプログラムに関し、特に、より良好なユーザインタフェースを提供することができるようにした編集装置、再生装置、編集方法、再生方法、およびプログラムに関する。
【背景技術】
【０００２】
従来、動画像の再生速度を編集する編集装置において、通常の再生速度とは異なる速度での再生、例えば、通常の再生速度よりも高速な早送りでの再生や、通常の再生速度よりも低速なスローモーションでの再生（以下、スロー再生と称する）などの編集を行うことができる。
【０００３】
例えば、特許文献１には、スロー再生時間表示部の時間軸上にポイントの位置を表示し、スロー再生開始点およびスロー再生終了点を指定するようなユーザインタフェースを利用して、スロー再生区間を編集することができる編集装置が開示されている。
【先行技術文献】
【特許文献】
【０００４】
【特許文献１】特開平８−２８７６５６号公報
【発明の概要】
【発明が解決しようとする課題】
【０００５】
特許文献１に開示されているような編集装置の他に、ユーザが希望する区間に、より簡単にスロー再生区間を設定し、スロー再生区間を編集することができるようなユーザインタフェースが求められている。
【０００６】
本開示は、このような状況に鑑みてなされたものであり、より良好なユーザインタフェースを提供することができるようにするものである。
【課題を解決するための手段】
【０００７】
本開示の第１の側面の編集装置は、動画像を再生する画像再生部と、前記動画像の撮像時における撮像位置に応じた開始地点から終了地点までの軌跡を表すルート画像を少なくとも含む軌跡画像を生成する軌跡画像生成部と、前記軌跡画像を利用して、前記動画像の再生速度を編集する編集情報を取得する編集情報取得部とを備える。
【０００８】
本開示の第２の側面の再生装置は、動画像を再生する画像再生部と、前記動画像の撮像時における撮像位置に応じた開始地点から終了地点までの軌跡を表すルート画像、および、前記動画像の撮像時刻に従って移動するように前記ルート画像に重ねて表示される撮像地点表示を含む軌跡画像を生成する軌跡画像生成部とを備え、前記軌跡画像生成部は、前記画像再生部により前記ルート画像上に表示された変速再生区間に対応する動画像が再生される際には、変更された動画像の再生速度に合わせて撮像地点表示の移動速度を変更して生成する。
【０００９】
本開示の第１の側面の編集方法またはプログラムは、動画像を再生し、前記動画像の撮像時における撮像位置に応じた開始地点から終了地点までの軌跡を表すルート画像を少なくとも含む軌跡画像を生成し、前記軌跡画像を利用して、前記動画像の再生速度を編集する編集情報を取得するステップを含む。
【００１０】
本開示の第２の側面の再生方法またはプログラムは、動画像を再生し、前記動画像の撮像時における撮像位置に応じた開始地点から終了地点までの軌跡を表すルート画像、および、前記動画像の撮像時刻に従って移動するように前記ルート画像に重ねて表示される撮像地点表示を含む軌跡画像を生成するステップを含み、前記ルート画像上に表示された変速再生区間に対応する動画像が再生される際には、変更された動画像の再生速度に合わせて撮像地点表示の移動速度を変更して生成する。
【００１１】
本開示の第１の側面においては、動画像が再生され、その動画像の撮像時における撮像位置に応じた開始地点から終了地点までの軌跡を表すルート画像を少なくとも含む軌跡画像が生成され、軌跡画像を利用して、動画像の再生速度を編集する編集情報が取得される。
【００１２】
本開示の第２の側面においては、動画像が再生され、その動画像の撮像時における撮像位置に応じた開始地点から終了地点までの軌跡を表すルート画像、および、動画像の撮像時刻に従って移動するようにルート画像に重ねて表示される撮像地点表示を含む軌跡画像が生成される。そして、ルート画像上に表示された変速再生区間に対応する動画像が再生される際には、変更された動画像の再生速度に合わせて撮像地点表示の移動速度が変更されて生成される。
【発明の効果】
【００１３】
本開示の一側面によれば、より良好なユーザインタフェースを提供することができる。
【図面の簡単な説明】
【００１４】
【図１】本技術を適用した編集装置の一実施の形態の構成例を示すブロック図である。
【図２】編集画面の表示例を示す図である。
【図３】軌跡画像を利用した再生速度の編集について説明する図である。
【図４】軌跡画像を利用した再生速度の編集について説明する図である。
【図５】軌跡画像を利用した再生速度の編集処理を説明するフローチャートである。
【図６】編集画面の他の表示例を示す図である。
【図７】再生速度編集用ＧＵＩ表示部を利用した再生速度の編集処理について説明する図である。
【図８】再生速度の編集処理について説明する図である。
【図９】再生速度の編集処理について説明する図である。
【図１０】再生速度編集用ＧＵＩ表示部の変形例を利用した再生速度の編集処理について説明する図である。
【図１１】再生速度の編集処理について説明する図である。
【図１２】再生速度の編集処理について説明する図である。
【図１３】コンピュータの構成例を示すブロック図である。
【発明を実施するための形態】
【００１５】
以下、本技術を適用した具体的な実施の形態について、図面を参照しながら詳細に説明する。
【００１６】
図１は、本技術を適用した編集装置の一実施の形態の構成例を示すブロック図である。
【００１７】
図１に示すように、編集装置１１には、蓄積部１２および表示部１３が接続されており、ユーザは、蓄積部１２に蓄積されている動画像を表示部１３に表示しながら、例えば、編集装置１１を操作して動画像の再生速度の編集を行う。
【００１８】
なお、本実施の形態において、動画像とは、所定のフレームレート（例えば、通常30fps（Frames Per Second））で撮像された複数枚の画像（静止画像）から構成され、それぞれの画像の撮像時刻に従った順番で再生されるものである。また、動画像の撮像時のフレームレートは、撮像装置の機能に従って変更可能とされ、例えば、ハイフレームレート（例えば、60fpsや120fpsなど）で撮像された動画像が通常のフレームレート（例えば、30fps）で再生される際には、スロー再生が行われる。
【００１９】
蓄積部１２は、例えば、ハードディスクや不揮発性メモリなどの記憶デバイスであり、編集装置１１を構成するコンピュータに組み込まれる構成としてもよいし、図示しないネットワークを介して編集装置１１に接続される構成としてもよい。蓄積部１２には、例えば、複数台の撮像装置により同時刻に撮像された複数の動画像が、それらの動画像に対して付加的な情報となる付加情報とともに纏められた動画像ファイルとして蓄積される。この付加情報には、動画像が撮像された撮像時刻に対応付けられて記録された速度情報および位置情報や、編集装置１１により生成される編集情報などが含まれる。
【００２０】
表示部１３は、例えば、ＬＣＤ（Liquid Crystal Display）や有機ＥＬ（Electro Luminescence）パネルなどの表示デバイスであり、編集装置１１から供給される画像を表示する。図２を参照して後述するように、表示部１３は、編集装置１１により再生される動画像とともに、その動画像に対する編集を行うためのＧＵＩ（Graphical User Interface）を表示する。
【００２１】
また、編集装置１１は、画像取得部２１、付加情報取得部２２、画像再生部２３、スピードメータ画像生成部２４、軌跡画像生成部２５、ＧＵＩ制御部２６、および編集情報取得部２７を備えて構成される。
【００２２】
画像取得部２１は、例えば、ユーザにより編集対象として指定された動画像を、蓄積部１２から読み出して画像再生部２３に供給する。以下、本実施の形態では、同時刻に撮像された２つの動画像を編集対象として説明を行うが、例えば、１つの動画像を編集対象としたり、同時刻に撮像された３つ以上の動画像を編集対象としたりしてもよい。
【００２３】
付加情報取得部２２は、画像取得部２１が蓄積部１２から読み出した動画像とともに動画像ファイルに纏められている付加情報を、蓄積部１２から読み出す。そして、付加情報取得部２２は、付加情報に含まれる速度情報をスピードメータ画像生成部２４に供給し、付加情報に含まれる位置情報を軌跡画像生成部２５に供給する。
【００２４】
画像再生部２３は、画像取得部２１から供給される２つの動画像を、それらの撮像時刻を合致させて再生し、表示部１３に表示する。なお、画像再生部２３は、通常のフレームレートの部分とハイフレームレートの部分とが混在する動画像を再生対象として再生することができ、ハイフレームレートの部分を高画質でスロー再生することができる。また、画像再生部２３は、動画像の撮像時刻を、スピードメータ画像生成部２４および軌跡画像生成部２５に供給する。
【００２５】
スピードメータ画像生成部２４は、付加情報取得部２２から供給される速度情報に従って、画像再生部２３から供給される撮像時刻に対応する速度を示すスピードメータ画像を生成し、表示部１３に表示する。即ち、スピードメータ画像生成部２４は、動画像が再生されるタイミングに合わせて、その動画像が撮像されたときの速度を示すスピードメータ画像を生成する。なお、付加情報取得部２２から速度情報が供給される代わりに、速度情報を算出可能な情報、例えば、撮像された際の地理的な位置情報および時刻情報が供給されてもよい。この場合、スピードメータ画像生成部２４は、地理的な位置情報および時刻情報から速度を算出してスピードメータ画像を生成することができる。
【００２６】
軌跡画像生成部２５は、付加情報取得部２２から供給される位置情報（例えば、地理的な位置情報）に従ったルート画像を生成し、そのルート画像上を、画像再生部２３から供給される撮像時刻に従って撮像地点ポインタが移動するような軌跡画像を生成し、表示部１３に表示する。つまり、ルート画像は、編集対象の動画像が撮像されたときに移動したスタート地点からゴール地点までの位置情報の軌跡を表す。また、撮像地点ポインタは、撮像時刻に対応する位置情報に基づいたルート画像上における撮像地点を表す。
【００２７】
ＧＵＩ制御部２６は、表示部１３に表示される動画像に対する編集を行うのに利用されるＧＵＩ部品の表示を制御するとともに、そのＧＵＩ部品に対する操作情報を取得し、その操作に従った制御を行う。なお、ＧＵＩ制御部２６が行う制御については、図５を参照して後述する。
【００２８】
編集情報取得部２７は、ユーザが表示部１３に表示されるＧＵＩ部品を利用して動画像の編集を行って、編集内容を保存する操作をしたときに、その編集内容に従った編集情報を取得する。そして、編集情報取得部２７は、取得した編集情報を、蓄積部１２に蓄積されている編集対象の動画像が記録されている動画像ファイルに、その動画像の付加情報として記録する。
【００２９】
このように構成される編集装置１１において、ユーザが、編集対象の動画像を指定して、動画像の再生速度の編集を開始する操作を行うと、画像編集装置１１は、蓄積部１２から読み出された動画像が表示される編集画面を表示部１３に表示する。
【００３０】
次に、図２は、表示部１３に表示される編集画面の表示例を示す図である。
【００３１】
図２に示すように編集画面３１には、メイン画面３２、表示指定用ＧＵＩ表示部３３、再生速度編集用ＧＵＩ表示部３４、および保存ボタン３５が表示される。
【００３２】
メイン画面３２には、動画像表示部４１−１および４１−２、スピードメータ画像表示部４２、並びに、軌跡画像表示部４３が表示される。図２の表示例では、メイン画面３２のレイアウトは、メイン画面３２の全体に動画像表示部４１−１が設けられ、動画像表示部４１−１に重ね合わせて、動画像表示部４１−２が右下に設けられ、スピードメータ画像表示部４２が左下に設けられ、軌跡画像表示部４３が右上に設けられる構成となっている。また、メイン画面３２は、編集装置１１により編集された動画像を再生する際の再生画面と同一のレイアウトとされる。なお、メイン画面３２は、このようなレイアウトに限られることはない。
【００３３】
動画像表示部４１−１および４１−２には、画像再生部２３により再生される２つの動画像が、それぞれの撮像時刻のタイミングを合わせて表示される。
【００３４】
スピードメータ画像表示部４２には、スピードメータ画像生成部２４により生成されるスピードメータ画像が表示され、スピードメータ画像は、動画像表示部４１−１および４１−２に表示される動画像の撮像時刻に応じて変化する。
【００３５】
軌跡画像表示部４３には、軌跡画像生成部２５により生成される軌跡画像が表示される。なお、軌跡画像表示部４３に表示される軌跡画像は、動画像の再生速度の編集を行うための編集用ＧＵＩ部品としての機能を備えており、編集装置１１では、軌跡画像に対する操作に従って編集情報を生成することができる。なお、軌跡画像を利用した動画像の再生速度の編集については、図３および図４を参照して後述する。
【００３６】
表示指定用ＧＵＩ表示部３３には、メイン画面３２のレイアウトなどを指定するのに利用されるＧＵＩ部品が表示される。
【００３７】
例えば、表示指定用ＧＵＩ表示部３３には、動画像表示部４１−１および４１−２の配置を指定するＧＵＩ部品や、動画像表示部４１−１および４１−２に表示される動画像の入れ替えを指定するＧＵＩ部品などが表示される。また、表示指定用ＧＵＩ表示部３３には、動画像表示部４１−１および４１−２に表示させる文字を入力するＧＵＩ部品や、２つの動画像のうちの音声を再生する動画像を指定するＧＵＩ部品、位置情報の表示を指定するＧＵＩ部品、２つの動画像の再生開始位置の調整を指示するＧＵＩ部品などが表示される。
【００３８】
再生速度編集用ＧＵＩ表示部３４には、編集対象の動画像を再生する際の再生速度の編集を行うのに利用されるＧＵＩ部品が表示される。
【００３９】
例えば、再生速度編集用ＧＵＩ表示部３４には、再生指示ボタン５１、シークバー５２、スロー箇所設定ボタン５３、逆方向移動ボタン５４、進行方向移動ボタン５５、スロー箇所削除ボタン５６、再生速度指示ドロップダウンリスト５７、音声再生指示ボタン５８、および、音量調整スライダ５９が表示される。
【００４０】
再生指示ボタン５１は、動画像の再生を指示するときに操作され、例えば、再生指示ボタン５１に対する操作（例えば、マウスを利用したクリック操作や、ユーザの指によるタッチ操作など）が行われるたびに、動画像の再生と一時停止とが切り替えられる。
【００４１】
シークバー５２は、動画像の再生時間の全体を表すタイムラインと、タイムライン上における再生位置を表すスライダとにより構成され、スライダを移動させる操作が行われると、その移動後のスライダに対応して再生位置が変更される。また、シークバー５２の右下には、編集対象の動画像の再生時間の全体（タイムラインの長さ）が表示され、シークバー５２の左下には、動画像の再生位置に対応する再生時刻が表示される。
【００４２】
スロー箇所設定ボタン５３は、スロー再生を行う区間であるスロー再生区間の設定を指示するときに操作される。例えば、動画像が通常速度で再生されているときにスロー箇所設定ボタン５３が操作されるとスロー再生区間の開始点が設定され、動画像がスロー再生されているときにスロー箇所設定ボタン５３が操作されるとスロー再生区間の終了点が設定される。
【００４３】
逆方向移動ボタン５４は、再生時間の進行方向に対して逆方向にスロー再生区間を移動させることを指示するときに操作され、進行方向移動ボタン５５は、再生時間の進行方向にスロー再生区間を移動させることを指示するときに操作される。
【００４４】
スロー箇所削除ボタン５６は、設定されているスロー再生区間を削除するときに操作される。再生速度指示ドロップダウンリスト５７は、スロー再生区間を設定する際の再生速度を選択するときに操作される。例えば、再生速度指示ドロップダウンリスト５７に対する操作が行われると、複数のスロー再生速度（例えば、1/2，1/4，1/8など）が登録されているリストが表示され、それらの中からスロー再生速度が選択される。音声再生指示ボタン５８は、動画像と共に音声を再生するか否かを指示するときに操作され、音量調整スライダ５９は、音声を再生することが指示されたときの音量を調整するときに操作される。
【００４５】
保存ボタン３５は、表示指定用ＧＵＩ表示部３３および再生速度編集用ＧＵＩ表示部３４に表示されるＧＵＩ部品を利用した編集操作が完了し、その編集内容を保存するときに操作される。例えば、保存ボタン３５に対する操作が行われると、図１の編集情報取得部２７は、操作が行われた時点における編集内容に従った編集情報を取得し、編集対象の動画像の付加情報として蓄積部１２に記録する。
【００４６】
次に、図３および図４を参照して、軌跡画像表示部４３に表示される軌跡画像６０を利用した再生速度の編集について説明する。
【００４７】
例えば、軌跡画像６０は、編集対象の動画像の位置情報に従った軌跡を表すルート画像６１に、編集対象の動画像の撮像時刻に従った位置情報に対応する撮像地点６２が重ね合わされて表示される。即ち、軌跡画像６０において、図２のシークバー５２と同様に、ルート画像６１は、動画像の再生時間の全体を表すタイムラインに対応し、撮像地点６２は、そのタイムライン上の再生位置を表すスライダに対応する。また、ルート画像６１の両端には、撮像が開始された位置を示すスタートフラグ６３、および、撮像が終了された位置を示すゴールフラグ６４が表示される。
【００４８】
例えば、動画像の再生が開始されると、撮像地点６２は、動画像の再生に伴ってスタートフラグ６３からルート画像６１上を移動する。そして、軌跡画像６０−１に示される位置に撮像地点６２が移動したときに、ユーザがスロー箇所設定ボタン５３に対する操作を行ってスロー再生開始箇所を指定する。これに応じて、ＧＵＩ制御部２６（図１）は、その操作情報を取得し、軌跡画像６０−２に示されるように、撮像地点６２が表示されている位置にスロー再生開始フラグ６５を表示する。同時に、ＧＵＩ制御部２６は、画像再生部２３に対して動画像をスロー再生するように指示を行い、画像再生部２３は、動画像のスロー再生を開始する。
【００４９】
このとき、画像再生部２３からスピードメータ画像生成部２４および軌跡画像生成部２５に供給される撮像時刻の変化も、動画像のスロー再生に従った速度になる。これにより、スピードメータ画像生成部２４により生成されるスピードメータ画像はスロー再生に従った速度で変化し、軌跡画像生成部２５により生成される軌跡画像６０はスロー再生に従った速度で変化する。
【００５０】
その後、動画像のスロー再生が行われて、軌跡画像６０−３に示される位置に撮像地点６２が移動したときに、ユーザがスロー箇所設定ボタン５３に対する操作を行ってスロー再生終了箇所を指定する。これに応じて、ＧＵＩ制御部２６は、その操作情報を取得して、軌跡画像６０−４に示されるように、撮像地点６２が表示されている位置にスロー再生終了フラグ６６を表示する。同時に、ＧＵＩ制御部２６は、画像再生部２３に対して動画像のスロー再生を終了するように指示を行い、画像再生部２３は、動画像のスロー再生を終了して通常速度での再生を行う。
【００５１】
このとき、画像再生部２３からスピードメータ画像生成部２４および軌跡画像生成部２５に供給される撮像時刻の変化も、動画像の通常速度になる。これにより、スピードメータ画像生成部２４により生成されるスピードメータ画像は通常速度に従った速度で変化し、軌跡画像生成部２５により生成される軌跡画像６０は通常速度に従った速度で変化する。
【００５２】
なお、スロー再生区間が終了する箇所に表示されるスロー再生終了フラグ６６を省略してもよく、例えば、スロー再生開始フラグ６５からスロー再生区間が終了する箇所までの色を変更するだけで、スロー再生区間が終了する箇所を認識できるようにしてもよい。即ち、例えば、スロー再生区間が短い場合などには、スロー再生開始フラグ６５とスロー再生終了フラグ６６とが重ねって表示されることがあり、スロー再生区間が開始される箇所を示す目印としてスロー再生開始フラグ６５を表示するだけでよい。この場合、スロー再生区間に対する編集は、後述するように再生速度編集用ＧＵＩ表示部３４を利用して行うことができる。
【００５３】
このように、編集装置１１では、軌跡画像６０を利用して、スロー再生開始フラグ６５からスロー再生終了フラグ６６までの区間を、スロー再生区間として設定することができる。また、スロー再生区間は、複数個所に設定したり、設定後に移動させることができる。
【００５４】
例えば、スロー再生終了フラグ６６が設定された後、動画像の通常速度での再生が行われているときに、ユーザは、上述と同様の操作を行ってスロー再生開始箇所およびスロー再生終了箇所を指定する。これに応じて、ＧＵＩ制御部２６は、その操作情報を取得して、図４の軌跡画像６０−５に示すように、スロー再生開始フラグ６７からスロー再生終了フラグ６８までの区間を、２カ所目のスロー再生区間として設定する。
【００５５】
さらに、例えば、ユーザが、スロー再生終了フラグ６８を移動させる操作を行うと、ＧＵＩ制御部２６は、その操作情報を取得して、軌跡画像６０−６に示すように、２カ所目のスロー再生区間を、スロー再生開始フラグ６７からスロー再生終了フラグ６８ａまでの区間に縮小させる。
【００５６】
また、例えば、ユーザが、１カ所目のスロー再生区間を選択する操作（例えば、スロー再生区間が表示されている箇所をタッチする操作）を行うと、ＧＵＩ制御部２６は、その操作情報を取得して、軌跡画像６０−７に示すように、１カ所目のスロー再生区間のスロー再生開始箇所に撮像地点６２を移動させる。そして、ユーザが、１カ所目のスロー再生区間を移動させる操作を行うと、ＧＵＩ制御部２６は、その操作情報を取得して、軌跡画像６０−８に示すように、２カ所目のスロー再生区間を、スロー再生開始フラグ６５ａからスロー再生終了フラグ６６ａまでの区間に移動させる。
【００５７】
なお、軌跡画像６０において、スロー再生開始フラグ６５およびスロー再生終了フラグ６６は、例えば、スタートフラグ６３やゴールフラグ６４などの他のフラグとは異なって操作することができることが分かるように、それらの他のフラグとは異なる色で表示される。さらに、図３および４では、撮像地点６２のようなポインタ（マーク）を利用して、ルート画像６１上での撮像地点を示しているが、撮像地点を表すのはポインタに限られることはなく、例えば、この撮像地点を境にルート画像６１の色が異なるようにしてもよい。即ち、例えば、スタートフラグ６３により示される開始地点から撮像地点までの区間と、この撮像地点からゴールフラグ６４により示される終了地点までの区間とを異なる色で表示にすることで、撮像地点を表すようにすることができる。
【００５８】
また、図３および４を参照した説明では、ユーザの操作に基づいてスロー再生区間を設定するものとしたが、例えば、ある程度自動的にスロー再生区間が設定されるようにすることができる。例えば、速度情報（時刻情報に対する地理的な位置情報の変化量の情報）に基づいて、速度が大きく変化する区間を注目区間と判断し、その注目区間を自動的にスロー再生区間とする候補として、ルート画像６１上に表示してもよい。この場合、ユーザは、候補として表示されたスロー再生区間を、編集情報として保存するように指定したり、候補として表示されたスロー再生区間の長さや位置を調整した後に編集情報として保存するように指定したりすることができる。または、候補として表示されたスロー再生区間が自動的に編集情報として保存されるようにしてもよい。
【００５９】
次に、図５は、軌跡画像を利用した再生速度の編集処理を説明するフローチャートである。
【００６０】
例えば、編集対象の動画像を指定して、動画像の再生速度の編集を開始する操作を行うと処理が開始され、ステップＳ１１において、画像取得部２１は、編集対象として指定された２つの動画像を、蓄積部１２から読み出して画像再生部２３に供給する。そして、画像再生部２３は、画像取得部２１から供給される２つの動画像を、それらの撮像時刻を合致させて再生し、表示部１３に表示される編集画面３１（図２）の動画像表示部４１−１および４１−２に動画像を再生して表示する。
【００６１】
ステップＳ１２において、付加情報取得部２２は、再生対象の動画像の付加情報を蓄積部１２から読み出し、その付加情報に含まれている速度情報をスピードメータ画像生成部２４に供給する。また、画像再生部２３は、再生している動画像の撮像時刻をスピードメータ画像生成部２４に供給する。これにより、スピードメータ画像生成部２４は、付加情報取得部２２から供給される速度情報に従って、画像再生部２３から供給される撮像時刻に対応する速度を示すスピードメータ画像を生成する。そして、スピードメータ画像生成部２４は、表示部１３に表示される編集画面３１のスピードメータ画像表示部４２にスピードメータ画像を表示する。
【００６２】
ステップＳ１３において、付加情報取得部２２は、再生対象の動画像の付加情報に含まれている位置情報を軌跡画像生成部２５に供給し、画像再生部２３は、再生している動画像の撮像時刻を軌跡画像生成部２５に供給する。これにより、軌跡画像生成部２５は、付加情報取得部２２から供給される位置情報に従ったルート画像を生成し、そのルート画像上を、画像再生部２３から供給される撮像時刻に従って撮像地点ポインタが移動するような軌跡画像６０（図３）を生成する。そして、軌跡画像生成部２５は、表示部１３に表示される編集画面３１の軌跡画像表示部４３に軌跡画像６０を表示する。
【００６３】
ステップＳ１４において、ＧＵＩ制御部２６は、表示部１３に表示される編集画面３１に、図２に示したように、表示指定用ＧＵＩ表示部３３、再生速度編集用ＧＵＩ表示部３４、および保存ボタン３５を表示する。
【００６４】
ステップＳ１５において、ＧＵＩ制御部２６は、スロー再生開始箇所が指定されたか否かを判定する。例えば、動画像が通常速度で再生されているときに、ユーザが、表示指定用ＧＵＩ表示部３３のスロー箇所設定ボタン５３に対する操作を行うと、ＧＵＩ制御部２６は、スロー再生開始箇所が指定されたと判定する。
【００６５】
ステップＳ１５において、ＧＵＩ制御部２６が、スロー再生開始箇所が指定されたと判定した場合、処理はステップＳ１６に進む。
【００６６】
ステップＳ１６において、ＧＵＩ制御部２６は、図３の軌跡画像６０−２に示したように、撮像地点６２が表示されている位置にスロー再生開始フラグ６５を表示する。同時に、ＧＵＩ制御部２６は、画像再生部２３に対して動画像をスロー再生するように指示を行い、画像再生部２３は、動画像のスロー再生を開始する。ステップＳ１６の処理後、処理はステップＳ１１に戻り、以下、同様の処理が繰り返される。
【００６７】
一方、ステップＳ１５において、ＧＵＩ制御部２６が、スロー再生開始箇所が指定されていないと判定した場合、処理はステップＳ１７に進む。
【００６８】
ステップＳ１７において、ＧＵＩ制御部２６は、スロー再生終了箇所が指定されたか否かを判定する。例えば、動画像がスロー再生されているときに、ユーザが、表示指定用ＧＵＩ表示部３３のスロー箇所設定ボタン５３に対する操作を行うと、ＧＵＩ制御部２６は、スロー再生終了箇所が指定されたと判定する。
【００６９】
ステップＳ１７において、ＧＵＩ制御部２６が、スロー再生終了箇所が指定されたと判定した場合、処理はステップＳ１８に進む。
【００７０】
ステップＳ１８において、ＧＵＩ制御部２６は、図３の軌跡画像６０−４に示したように、撮像地点６２が表示されている位置にスロー再生終了フラグ６６を表示する。同時に、ＧＵＩ制御部２６は、画像再生部２３に対して動画像のスロー再生を終了するように指示を行い、画像再生部２３は、動画像のスロー再生を終了して通常速度での再生を行う。ステップＳ１８の処理後、処理はステップＳ１１に戻り、以下、同様の処理が繰り返される。
【００７１】
一方、ステップＳ１７において、ＧＵＩ制御部２６が、スロー再生終了箇所が指定されていないと判定した場合、処理はステップＳ１９に進む。
【００７２】
ステップＳ１９において、ＧＵＩ制御部２６は、編集内容の保存が指示されたか否かを判定する。例えば、ユーザが、保存ボタン３５に対する操作を行うと、ＧＵＩ制御部２６は、編集内容の保存が指示されたと判定する。
【００７３】
ステップＳ１９において、ＧＵＩ制御部２６が、編集内容の保存が指示されていないと判定した場合、処理はステップＳ１１に戻り、以下、同様の処理が繰り返される。一方、ステップＳ１９において、ＧＵＩ制御部２６が、編集内容の保存が指示されたと判定した場合、処理はステップＳ２０に進む。
【００７４】
ステップＳ２０において、ＧＵＩ制御部２６は、現時点における編集内容（スロー再生開始箇所や、スロー再生終了箇所、スロー再生速度など）を編集情報取得部２７に供給し、編集情報取得部２７は、その編集内容からなる編集情報を取得する。そして、編集情報取得部２７は、取得した編集情報を、蓄積部１２に蓄積されている編集対象の動画像が記録されている動画像ファイルに、その動画像の付加情報として記録し、ステップＳ２０の処理後、処理は終了される。
【００７５】
以上のように、編集装置１１では、軌跡画像６０を利用してスロー再生区間を設定することができるので、ユーザは、例えば、走行したコース上の見どころとなる区間を把握しているので、その区間にスロー再生区間を容易に設定することができる。即ち、シークバー５２を利用してスロー再生区間を設定する場合には、シークバー５２だけでは見どころとなる区間を見つけ出すのは困難であるのに対し、軌跡画像６０では、その形状に基づいて見どころとなる区間を容易に見つけ出すことができる。従って、編集装置１１は、従来よりも、より良好なユーザインタフェースを提供することができる。
【００７６】
次に、図６は、表示部１３に表示される編集画面の他の表示例を示す図である。
【００７７】
図６に示すように、編集画面３１Ａには、メイン画面３２Ａ、表示指定用ＧＵＩ表示部３３Ａ、再生速度編集用ＧＵＩ表示部３４、および保存ボタン３５が表示される。なお、再生速度編集用ＧＵＩ表示部３４および保存ボタン３５は、図２の編集画面３１における表示と同様である。
【００７８】
メイン画面３２Ａは、動画像表示部４１−１Ａおよび４１−２Ａが、横並びで表示されている点で、図２のメイン画面３２と異なる表示とされている。なお、スピードメータ画像表示部４２および軌跡画像表示部４３は、図２のメイン画面３２における表示と同様である。このように、編集装置１１では、ユーザの選択に応じて、編集画面３１に表示される２つの動画像の配置を変更することができる。
【００７９】
表示指定用ＧＵＩ表示部３３Ａでは、シークバー５２Ａが、図２の表示指定用ＧＵＩ表示部３３と異なる表示とされている。即ち、シークバー５２Ａで、通常の動画再生で表示されるタイムラインの下方に、スロー再生専用のタイムラインが並行して配置されて構成される。
【００８０】
次に、図７乃至図９を参照して、再生速度編集用ＧＵＩ表示部３４に表示されるＧＵＩ部品を利用した再生速度の編集処理について説明する。
【００８１】
例えば、動画像の再生が通常速度（Slow OFF）で開始されると、シークバー５２上をスライダ７１が移動し、ユーザが再生指示ボタン５１に対する操作を行うと、動画像の再生が一時停止される。このように再生の停止中では、図７の再生速度編集用ＧＵＩ表示部３４−１に示すように、再生指示ボタン５１には再生マーク（右向きの三角形）が表示される。
【００８２】
また、図７乃至図９では、ユーザにより操作された箇所（例えば、ユーザがタッチした箇所）が二点鎖線で示されており、再生速度編集用ＧＵＩ表示部３４−２に示すように、ユーザがスロー箇所設定ボタン５３に対する操作を行って、スロー再生開始箇所を指定する。これに応じて、ＧＵＩ制御部２６（図１）は、その操作情報を取得し、スライダ７１により示される再生位置にスロー再生開始箇所を設定する。
【００８３】
その後、再生速度編集用ＧＵＩ表示部３４−３に示すように、ユーザが再生指示ボタン５１に対する操作を行って、動画像のスロー再生（Slow ON）が開始されて再生中となる。また、動画像のスロー再生中には、スロー箇所設定ボタン５３は薄く表示される。その後、再生速度編集用ＧＵＩ表示部３４−４に示すように、再生中のスロー再生区間７２が薄いハッチングで示される。そして、ユーザがスロー箇所設定ボタン５３に対する操作を行って、スロー再生終了箇所を指定する。
【００８４】
これに応じて、ＧＵＩ制御部２６は、その操作情報を取得し、スライダ７１により示される再生位置にスロー再生終了箇所を設定し、再生速度編集用ＧＵＩ表示部３４−５に示すように、設定されたスロー再生区間７２が濃いハッチングで示される。そして、動画像の再生が通常速度（Slow OFF）で再生される。その後、同様の操作が行われることで、再生速度編集用ＧＵＩ表示部３４−５から再生速度編集用ＧＵＩ表示部３４−８までに示すように、２つ目のスロー再生区間７３が設定される。
【００８５】
また、このようにスロー再生区間７２および７３を設定した後に、さらにスロー再生区間を設定することができる。
【００８６】
即ち、図８に示すように、スロー再生区間７２および７３が設定された状態で、動画像を先頭から再生させる際に、再生速度編集用ＧＵＩ表示部３４−１１に示すように、スロー箇所設定ボタン５３に対する操作を行ってスロー再生を指示する。そして、再生速度編集用ＧＵＩ表示部３４−１２に示すように、ユーザが再生指示ボタン５１に対する操作を行うと、スロー再生が開始され、再生速度編集用ＧＵＩ表示部３４−１３に示すようにスロー再生が進められ、スロー再生区間７４が設けられる。
【００８７】
その後、スライダ７１がスロー再生区間７２のスロー再生開始箇所まで進むと、スロー再生区間７４からスロー再生区間７２に連続的にスロー再生区間が設定される。そして、スライダ７１がスロー再生区間７２上まで進むと、再生速度編集用ＧＵＩ表示部３４−１４に示すように、スロー再生区間７２は薄いハッチングで表示される。さらに、スロー再生が行われ、スライダ７１がスロー再生区間７２よりも先に進むと、スロー再生区間７２のスロー再生終了箇所から連続的に、新たなスロー再生区間７５が設定される。
【００８８】
このように、編集装置１１では、スロー再生区間を重ねて設定することができ、スロー再生区間７４、スロー再生区間７２、およびスロー再生区間７５が連続的なスロー再生区間となる。
【００８９】
また、再生速度編集用ＧＵＩ表示部３４において、スロー再生区間を選択する操作が行われると、再生位置が、その選択されたスロー再生区間の先頭に移動する。
【００９０】
例えば、図９に示されている再生速度編集用ＧＵＩ表示部３４−２１のように、スライダ７１の位置がシークバー５２の先頭であるときに、ユーザがスロー再生区間７２に対する操作を行って、スロー再生区間７２を選択する。これに応じて、ＧＵＩ制御部２６は、その操作情報を取得して、再生速度編集用ＧＵＩ表示部３４−２２に示すように、スロー再生区間７２の先頭にスライダ７１を移動させる。また、このとき選択されたスロー再生区間７２は薄く表示される。なお、このようにスロー再生区間７２の選択に応じて、スロー再生区間７２の先頭にスライダ７１を移動させて動画像の再生（頭出し再生）が行われる際には、スロー再生区間７２の先頭から数秒前または数フレーム前から再生が行われるようにしてもよい。
【００９１】
ここで、例えば、逆方向移動ボタン５４および進行方向移動ボタン５５に対するクリック操作（ワンタッチ操作）が行われると、選択されているスロー再生区間７２が１フレームずつ移動される。また、逆方向移動ボタン５４および進行方向移動ボタン５５に対するロングクリック操作（タッチし続ける操作）が行われると、その操作が行われている間、選択されているスロー再生区間７２が連続的に移動される。なお、スロー再生区間７２が、シークバー５２の先頭や末尾、他のスロー再生区間７３に接したときは、それ以上の移動は行われない。
【００９２】
また、スロー再生区間７２が選択されている状態で、スロー箇所削除ボタン５６に対する走査が行われると、スロー再生区間７２が削除される。また、再生速度指示ドロップダウンリスト５７に対する操作により、選択されているスロー再生区間７２のスロー再生速度を変更することができ、スロー再生速度の変更に伴って、動画像の再生時間の全体（総再生時間）が変更される。さらに、再生速度編集用ＧＵＩ表示部３４では、スロー再生速度に従って設定されている色でスロー再生区間７２を表示することができる。
【００９３】
さらに、例えば、スロー再生区間７２が選択されている状態で、その両端に対する操作を行うことで、スロー再生区間７２の長さを拡大または縮小することができる。例えば、スロー再生区間７２の両端から内側の所定幅（例えば、２ピクセル）が選択可能とされる。なお、選択されていない状態でも、スロー再生区間７２の両端を操作して、スロー再生区間７２の長さを拡大または縮小することができる。さらに、この両端から内側の所定幅以外の部分に対する操作をおこなうことで、スロー再生区間７２を移動させることができる。なお、スロー再生区間７２が、シークバー５２の先頭や末尾、他のスロー再生区間７３に接したときは、それ以上の移動は行われない。
【００９４】
次に、図１０乃至図１２を参照して、再生速度編集用ＧＵＩ表示部３４の変形例について説明する。
【００９５】
図１０乃至図１２に示すように、シークバー５２に対して、図３の軌跡画像６０に示したスロー再生開始フラグ６５およびスロー再生終了フラグ６６のように、スロー再生区間を示すフラグを表示してもよい。このとき、スロー箇所設定ボタン８１にはフラグのアイコンが表示される。
【００９６】
例えば、動画像の再生が通常速度（Slow OFF）で開始されると、シークバー５２上をスライダ７１が移動し、ユーザが再生指示ボタン５１に対する操作を行うと、動画像の再生が一時停止される。このように再生の停止中では、図１０の再生速度編集用ＧＵＩ表示部３４−３１に示すように、再生指示ボタン５１には再生マーク（右向きの三角形）が表示される。
【００９７】
また、図１０乃至図１２では、ユーザにより操作された箇所（例えば、ユーザがタッチした箇所）が二点鎖線で示されており、再生速度編集用ＧＵＩ表示部３４−３２に示すように、ユーザがスロー箇所設定ボタン８１に対する操作を行って、スロー再生開始箇所を指定する。
【００９８】
これに応じて、ＧＵＩ制御部２６（図１）は、その操作情報を取得し、スライダ７１により示される再生位置をスロー再生開始箇所として、再生速度編集用ＧＵＩ表示部３４−３３に示すように、スロー再生区間８２を設定する。即ち、スロー箇所設定ボタン８１に対する操作が行われると、そのときの再生位置にスロー再生開始フラグ８３を設定するとともに、スロー再生開始フラグ８３から所定間隔離れた箇所にスロー再生終了フラグ８４が設定される。図１０に示すように、設定されたスロー再生区間８２は濃いハッチングで示される。このように、スロー箇所設定ボタン８１に対する１回の操作でスロー再生開始フラグ８３およびスロー再生終了フラグ８４が設定された後、ユーザは、スロー再生開始フラグ８３およびスロー再生終了フラグ８４に対する操作を行ってスロー再生区間８２の長さを拡大または縮小することができる。
【００９９】
その後、ユーザが再生指示ボタン５１に対する操作を行うと、動画像のスロー再生（Slow ON）が開始されて再生中となり、スライダ７１がスロー再生終了フラグ８４まで進む。そして、そのままスロー再生が行われると、再生速度編集用ＧＵＩ表示部３４−３４に示すように、スロー再生区間８２は薄いハッチングとなり、スロー再生区間８２の長さが延長するような編集中となる。
【０１００】
そして、スロー再生区間８２の長さが設定され、再生速度編集用ＧＵＩ表示部３４−３５に示すように、動画像が通常速度（Slow OFF）で再生される。その後、同様の操作が行われることで、再生速度編集用ＧＵＩ表示部３４−３６に示すように、２つ目のスロー再生区間８５が設定される。また、２つ目のスロー再生区間８５のスロー再生開始箇所にはスロー再生開始フラグ８６が表示され、スロー再生終了箇所にはスロー再生終了フラグ８７が表示される。
【０１０１】
また、図１１の再生速度編集用ＧＵＩ表示部３４−４１に示すように、シークバー５２のスロー再生区間８２の再生中であるときには、スロー再生区間８２上にスライダ７１が表示される。さらに、このとき、スロー箇所設定ボタン８１は非選択状態とされ、スロー再生区間を重ねて設定することが禁止される。
【０１０２】
また、図９を参照して上述したのと同様に、スロー再生区間を選択する操作が行われると、再生位置が、その選択されたスロー再生区間の先頭に移動する。
【０１０３】
即ち、図１２に示されている再生速度編集用ＧＵＩ表示部３４−５１のように、スライダ７１の位置がシークバー５２の先頭であるときに、ユーザがスロー再生区間８２に対する操作を行って、スロー再生区間８２を選択する。これに応じて、ＧＵＩ制御部２６は、その操作情報を取得して、再生速度編集用ＧＵＩ表示部３４−５２に示すように、スロー再生区間８２の先頭にスライダ７１を移動させる。また、このとき選択されたスロー再生区間８２は薄く表示される。
【０１０４】
また、図７乃至図１２では、シークバー５２を利用したスロー再生区間の設定について説明したが、これらのスロー再生区間の設定は、図３に示した軌跡画像６０に対しても同様の操作で行うことができる。この場合、例えば、軌跡画像６０を拡大表示することにより、操作性を向上させることができる。
【０１０５】
また、本実施の形態では、２つの動画像の再生速度を編集する例について説明したが、例えば、編集装置１１では、１つの動画像を編集対象としてもよいし、３つ以上の動画像を編集対象として再生速度の編集を行うことができる。
【０１０６】
ここで、編集装置１１での編集対象となる２つ以上の動画像とは、それぞれが略同一地点から異なるアングル（撮影方向）を撮影した動画像であってもよいし、主要被写体をそれぞれ異なるアングルから撮影した動画像であってもよい。さらに、所定の速度で移動する移動体に設置された撮像装置で撮像された動画像であってもよい。加えて、２つ以上の動画像とは、撮影開始終了指示を無線送信可能な携帯型送受信機と、携帯型送受信機と無線接続された複数台の携帯型撮像装置とからなるシステムにおいて、携帯型送受信機からの撮影開始終了指示に応じて複数台の撮像装置が撮影したそれぞれの（一組の）動画像であってもよい。
【０１０７】
また、編集対象とする動画像は、例えば、車両に搭載される撮像装置により撮像されたものの他、スポーツ競技においてプレーヤや審判が身に着ける撮像装置により撮像されたものを用いることができる。そして、例えば、観客が盛り上がったシーンや、得点が決まったシーンなどを選択してスロー再生を行うように動画像の再生速度を編集することができる。
【０１０８】
さらに、動画像の付加情報として用いられる位置情報としては、現実空間の位置を示す情報以外にも、例えば、仮想空間における位置を示す情報を用いることができる。例えば、ゲームなどの仮想空間内をユーザの操作に従って移動するような動画像を記録し、その動画像とともに仮想空間上の位置情報を記録することができる。編集装置１１は、仮想空間上の位置情報を用いて、仮想空間で記録された動画像の再生速度を編集することができる。
【０１０９】
また、編集装置１１では、スロー再生区間を編集したのと同様に、例えば、通常の再生速度よりも高速な早送りで再生される早送り再生区間を編集することができる。
【０１１０】
なお、本実施の形態においては、編集装置１１について説明しているが、編集装置１１により再生速度の編集が行われた動画像を再生する再生装置では、図２のメイン画面３２に示すように動画像を再生することができる。即ち、再生装置は、動画像表示部４１−１および４１−２に動画像を再生するとともに、スピードメータ画像を生成してスピードメータ画像表示部４２に表示し、軌跡画像を生成して軌跡画像表示部４３に表示することができる。このとき、再生装置は、例えば、スロー再生区間に対応する動画像を再生する際には、変更された動画像の再生速度に合わせて、図３に示したような軌跡画像６０におけるルート画像６１上の撮像地点６２の移動速度を変更することができる。
【０１１１】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のCPUにより処理されるものであっても良いし、複数のCPUによって分散処理されるものであっても良い。
【０１１２】
また、上述した一連の処理（情報処理方法）は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラムが記録されたプログラム記録媒体からインストールされる。
【０１１３】
図１３は、上述した一連の処理をプログラムにより実行するコンピュータのハードウエアの構成例を示すブロック図である。
【０１１４】
コンピュータにおいて、CPU（Central Processing Unit）１０１，ROM（Read Only Memory）１０２，RAM（Random Access Memory）１０３は、バス１０４により相互に接続されている。
【０１１５】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。
【０１１６】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【０１１７】
コンピュータ（CPU１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【０１１８】
そして、プログラムは、リムーバブルメディア１１１をドライブ１１０に装着することにより、入出力インタフェース１０５を介して、記憶部１０８にインストールすることができる。また、プログラムは、有線または無線の伝送媒体を介して、通信部１０９で受信し、記憶部１０８にインストールすることができる。その他、プログラムは、ROM１０２や記憶部１０８に、あらかじめインストールしておくことができる。
【０１１９】
なお、本技術は以下のような構成も取ることができる。
（１）
動画像を再生する画像再生部と、
前記動画像の撮像時における撮像位置に応じた開始地点から終了地点までの軌跡を表すルート画像を少なくとも含む軌跡画像を生成する軌跡画像生成部と、
前記軌跡画像を利用して、前記動画像の再生速度を編集する編集情報を取得する編集情報取得部と
を備える編集装置。
（２）
前記軌跡画像は、前記動画像の撮像時刻に従って移動するような撮像地点表示をさらに含み、
前記軌跡画像生成部は、前記撮像地点表示が前記ルート画像に重ねて表示される前記軌跡画像を生成する
上記（１）に記載の編集装置。
（３）
前記動画像の撮像時における移動速度を示す速度情報に従って、撮像時刻に対応する速度を示すスピードメータ画像を生成し、前記画像再生部により再生される動画像に重ねて表示させるスピードメータ画像生成部
上記（１）または（２）に記載の編集装置。
（４）
前記軌跡画像生成部は、前記動画像の再生速度の編集に従って、通常の再生速度とは異なる再生速度で再生される変速再生区間が設定されたとき、前記ルート画像に前記変速再生区間を表示する
上記（１）から（３）までのいずれかに記載の編集装置。
（５）
前記軌跡画像生成部は、前記変速再生区間の開始位置および終了位置に、それぞれの位置を示すフラグが表示される前記軌跡画像を生成する
上記（４）に記載の編集装置。
（６）
前記変速再生区間の開始位置および終了位置に表示される前記フラグは、前記軌跡画像に表示される他のフラグと異なる色で表示される
上記（５）に記載の編集装置。
（７）
前記変速再生区間における再生速度に従って、前記変速再生区間を表示する色が設定されている
上記（４）から（６）までのいずれかに記載の編集装置。
（８）
前記編集情報取得部は、前記変速再生区間に対する操作に従って、前記変速再生区間を移動させる編集情報を取得する
上記（４）から（７）までのいずれかに記載の編集装置。
（９）
前記編集情報取得部は、前記変速再生区間の開始位置および終了位置に表示される前記フラグに対する操作に従って、前記変速再生区間を拡大または縮小させる編集情報を取得する
上記（５）から（８）までのいずれかに記載の編集装置。
（１０）
前記編集情報取得部は、前記動画像の再生時間の全体を表すタイムラインと、前記タイムライン上における再生位置を表すスライダとにより構成されるシークバーに対する操作に従って、前記動画像の再生速度を編集する編集情報を取得する
上記（１）から（９）までのいずれかに記載の編集装置。
（１１）
前記画像再生部は、通常のフレームレートで撮像された部分と、通常のフレームレートよりも高いフレームレートで撮像された部分とが混在した動画像を再生対象とする
上記（１）から（１０）までのいずれかに記載の編集装置。
（１２）
動画像を再生する画像再生部と、
前記動画像の撮像時における撮像位置に応じた開始地点から終了地点までの軌跡を表すルート画像、および、前記動画像の撮像時刻に従って移動するように前記ルート画像に重ねて表示される撮像地点表示を含む軌跡画像を生成する軌跡画像生成部と
を備え、
前記画像再生部は、前記ルート画像上に表示された変速再生区間に対応する動画像を表示する際には、変更された動画像の再生速度に合わせて撮像地点表示の移動速度を変更して再生する
再生装置。
（１３）
動画像を再生し、
前記動画像の撮像時における撮像位置に応じた開始地点から終了地点までの軌跡を表すルート画像を少なくとも含む軌跡画像を生成し、
前記軌跡画像を利用して、前記動画像の再生速度を編集する編集情報を取得する
ステップを含む編集方法。
（１４）
動画像を再生し、
前記動画像の撮像時における撮像位置に応じた開始地点から終了地点までの軌跡を表すルート画像、および、前記動画像の撮像時刻に従って移動するように前記ルート画像に重ねて表示される撮像地点表示を含む軌跡画像を生成する
ステップを含み、
前記ルート画像上に表示された変速再生区間に対応する動画像を表示する際には、変更された動画像の再生速度に合わせて撮像地点表示の移動速度を変更して再生する
再生方法。
（１５）
動画像を再生し、
前記動画像の撮像時における撮像位置に応じた開始地点から終了地点までの軌跡を表すルート画像を少なくとも含む軌跡画像を生成し、
前記軌跡画像を利用して、前記動画像の再生速度を編集する編集情報を取得する
ステップを含む編集処理をコンピュータに実行させるプログラム。
（１６）
動画像を再生し、
前記動画像の撮像時における撮像位置に応じた開始地点から終了地点までの軌跡を表すルート画像、および、前記動画像の撮像時刻に従って移動するように前記ルート画像に重ねて表示される撮像地点表示を含む軌跡画像を生成する
ステップを含み、
前記ルート画像上に表示された変速再生区間に対応する動画像を表示する際には、変更された動画像の再生速度に合わせて撮像地点表示の移動速度を変更して再生する
再生処理をコンピュータに実行させるプログラム。
【０１２０】
なお、本実施の形態は、上述した実施の形態に限定されるものではなく、本開示の要旨を逸脱しない範囲において種々の変更が可能である。
【符号の説明】
【０１２１】
１１  編集装置，  １２  蓄積部，  １３  表示部，  ２１  画像取得部，  ２２  付加情報取得部，  ２３  画像再生部，  ２４  スピードメータ画像生成部，  ２５  軌跡画像生成部，  ２６  ＧＵＩ制御部，  ２７  編集情報取得部
【図１】
2015128206.tif 000003
【図２】
2015128206.tif 000004
【図３】
2015128206.tif 000005
【図４】
2015128206.tif 000006
【図５】
2015128206.tif 000007
【図６】
2015128206.tif 000008
【図７】
2015128206.tif 000009
【図８】
2015128206.tif 000010
【図９】
2015128206.tif 000011
【図１０】
2015128206.tif 000012
【図１１】
2015128206.tif 000013
【図１２】
2015128206.tif 000014
【図１３】
2015128206.tif 000015